(57)【要約】【課題】  組立の手間や調整を低減し、手動による開閉操作も容易な横編機の生地払い装置を提供する。【解決手段】  生地払い板１５は、編出しベッド６の昇降経路の前方の排出位置１２ａに臨んで基端側が支持され、レバー２２にロックされる状態で、ロック軸２３を中心として遊端側が前方に揺動変位して、編出しベッド６の昇降経路を開放する。編地の巻下げ時に、生地払い板１５の遊端側が下降状態の編出しベッド６の上方位置１２ｂを覆って編出しベッド６の昇降経路を閉鎖し、前方下方への傾斜で編地を排出する。生地払い板１５の下方で、編出し装置４の下部に臨み、編出しベッド６の昇降に連動して、生地払い板１５を開閉する駆動力を発生させる連動機構１８が配置される。レバー２２に対してロック軸２３をロックさせなければ、生地払い板１５を手動で開閉することもできる。【選択図】図１
2012117187.tif 000002
【特許請求の範囲】
【請求項１】
昇降可能な編出しベッドを有する編出し装置、および巻下げ装置を歯口下方に備える横編機の生地払い装置において、
編出しベッドの昇降経路の前方で編地を排出すべき排出位置に臨んで基端側が支持され、編出し時に基端側を中心として遊端側が前方に揺動変位して編出しベッドの昇降経路を開放し、巻下げ装置による編成中の編地の巻下げ時に遊端側が下降状態の編出しベッドの上方位置を覆って編出しベッドの昇降経路を閉鎖し、基端側まで予め定める生地払い傾斜角で前方に下降する生地払い板と、
生地払い板の基端側の側方で揺動軸線上に配置される駆動部を有し、編出しベッドの昇降に連動して、生地払い板が揺動する駆動力を発生して駆動部から出力可能な連動機構と、
生地払い板の基端側に設けられ、揺動軸線に沿って連動機構の駆動部への進退が可能で、予め定められる進出位置以上の進出では駆動部から出力される駆動力を受けて生地払い板が揺動するようにロックされ、該進出位置まで達しない進出ではロックされないロック軸と、
を含むことを特徴とする横編機の生地払い装置。
【請求項２】
前記ロック軸は、前記進出位置まで達しないで前記ロックされない進出のうちで、進出量の大小に応じて、前記連動機構の駆動部と係合して前記生地払い板が揺動する支持を受ける状態と、該駆動部と係合しないで、駆動部の軸線から離れる方向への離脱が可能になる状態とに切換えられる、
ことを特徴とする請求項１記載の横編機の生地払い装置。
【請求項３】
前記連動機構は、
編出し装置の下部に臨んで配置され、前記編出しベッドの昇降に連動して生地払い板が揺動する駆動力を発生するカム機構と、
カム機構が発生する駆動力を、前記揺動軸線上に配置される駆動部まで伝達する伝達機構とを、
さらに含むことを特徴とする請求項１または２記載の横編機の生地払い装置。
【請求項４】
前記連動機構は、前記生地払い板の一側方のみに設けられる、
ことを特徴とする請求項３記載の横編機の生地払い装置。
【発明の詳細な説明】
【技術分野】
【０００１】
本発明は、横編機の針床下方に、巻下げ装置および編出し装置とともに設けられる横編機の生地払い装置に関する。
【背景技術】
【０００２】
従来から、図９に簡略化して示すような横編機１では、フレーム１ａが設けられる下部に、生地払い装置２が巻下げ装置３および編出し装置４とともに用いられている（たとえば、特許文献１参照）。巻下げ装置３は、一対の巻下げローラ３ａ，３ｂを備える。巻下げ装置３の上方には、図示を省略しているけれども、少なくとも前後一対で対向する針床が設けられ、針床間の歯口で編地が編成される。編成された編地は、歯口から垂下し、巻下げローラ３ａ，３ｂ間に挟まれて引下げられる。生地払い装置２は、生地払い板５を含み、生地払い角θで傾斜する上部の生地払い部５ａで垂下する編地を前方の排出位置２ａに案内し、横編機１の正面側に排出し、排出位置２ａの下方の壁面部５ｂで、編出し装置４の前面側を覆う。なお、生地払い板５は、特許文献１の編地案内板に相当する。
【０００３】
編出し装置４は、編出しベッド６および昇降機構７を含む。編出しベッド６は、頂部から立設され、紙面に垂直な方向に並ぶ複数の編出し針６ａを有し、昇降機構７によって、編地の編成開始時に編出し針６ａが歯口まで上昇し、針床間で編出し編成された編地を掛けて引下げる。編出しベッド６の上昇中、巻下げローラ３ａ，３ｂ間は開き、生地払い部５ａは昇降経路を空ける。編出し針６ａが編地を引下げながら、巻下げローラ３ａ，３ｂ間よりも下降すると、巻下げローラ３ａ，３ｂ間が閉じ、編出し針６ａは編地を解放して、編地は巻下げローラ３ａ，３ｂ間で巻下げられるようになる。生地払い板５は、生地払い部５ａが下降した編出し針６ａの上方位置２ｂ付近の昇降経路を閉じ、生地払い角θで傾斜して、編地を排出する。
【０００４】
昇降機構７は、モータ７ａの駆動出力で、歯車７ｂ，７ｃでプーリ７ｄ，７ｅ間に掛け渡されるタイミングベルト７ｆを駆動する。タイミングベルト７ｆに取付けられる昇降ガイド７ｇは、案内軸７ｈに沿って昇降する。昇降ガイド７ｇは、編出しベッド６を支持し、側面にカム７ｉが設けられ、下降の下限を規制するストッパ７ｊも設けられる。カム７ｉは、生地払い装置２の連動機構８を作動させ、編出しベッド６の上昇時に、生地払い部５ａが昇降経路を空けるように連動させる。連動機構８の連動部材８ａは、カム７ｉの作用を受けるホロア８ｂ、８ｃを備え、揺動軸８ｄを中心として揺動する。揺動軸８ｄは、生地払い板５も揺動可能に支持する。連動部材８ａは、ばね８ｅによる引張りで、時計回り方向に付勢される。連動部材８ａは、上方に突出する腕の上端に、ロック受け８ｆを有する。ロック受け８ｆは、生地払い板５の壁面部５ｂに設けるロック軸９と係合し、連動部材８ａと生地払い板５とを連動させる。ロック受け８ｆからロック軸９を外すと、生地払い板５は、揺動軸８ｄの軸線まわりに、手動による揺動変位が可能となる。手動によって生地払い板５を開く操作は、編出し針６ａに掛かった編糸を手で外す作業を行う場合などに必要となる。生地払い板５の壁面部５ｂの下方には、前面カバー１０が設けられ、排出位置２ａから落下する編地は、前面カバー１０の下部の編地受け１０ａで受けられる。
【先行技術文献】
【特許文献】
【０００５】
【特許文献１】特開２００７−２３１４６２号公報
【発明の概要】
【発明が解決しようとする課題】
【０００６】
図９に示すような生地払い装置２では、生地払い板５を手動で開く操作を可能にするために、ロック受け８ｆと組合せるロック軸９を生地払い板５側に設ける必要がある。生地払い板５側には、揺動軸８ｄで揺動可能に支持される部分を設ける必要があるので、生地払い装置２としての組立の手間や調整を要する。
【０００７】
本発明の目的は、組立の手間や調整を低減し、手動による開閉操作も容易な横編機の生地払い装置を提供することである。
【課題を解決するための手段】
【０００８】
本発明は、昇降可能な編出しベッドを有する編出し装置、および巻下げ装置を歯口下方に備える横編機の生地払い装置において、
編出しベッドの昇降経路の前方で編地を排出すべき排出位置に臨んで基端側が支持され、編出し時に基端側を中心として遊端側が前方に揺動変位して編出しベッドの昇降経路を開放し、巻下げ装置による編成中の編地の巻下げ時に遊端側が下降状態の編出しベッドの上方位置を覆って編出しベッドの昇降経路を閉鎖し、基端側まで予め定める生地払い傾斜角で前方に下降する生地払い板と、
生地払い板の基端側の側方で揺動軸線上に配置される駆動部を有し、編出しベッドの昇降に連動して、生地払い板が揺動する駆動力を発生して駆動部から出力可能な連動機構と、
生地払い板の基端側に設けられ、揺動軸線に沿って連動機構の駆動部への進退が可能で、予め定められる進出位置以上の進出では駆動部から出力される駆動力を受けて生地払い板が揺動するようにロックされ、該進出位置まで達しない進出ではロックされないロック軸と、
を含むことを特徴とする横編機の生地払い装置である。
【０００９】
また本発明で、前記ロック軸は、前記進出位置まで達しないで前記ロックされない進出のうちで、進出量の大小に応じて、前記連動機構の駆動部と係合して前記生地払い板が揺動する支持を受ける状態と、該駆動部と係合しないで、駆動部の軸線から離れる方向への離脱が可能になる状態とに切換えられる、
ことを特徴とする。
【００１０】
また本発明で、前記連動機構は、
編出し装置の下部に臨んで配置され、前記編出しベッドの昇降に連動して生地払い板が揺動する駆動力を発生するカム機構と、
カム機構が発生する駆動力を、前記揺動軸線上に配置される駆動部まで伝達する伝達機構とを、
さらに含むことを特徴とする。
【００１１】
また本発明で、前記連動機構は、前記生地払い板の一側方のみに設けられる、
ことを特徴とする。
【発明の効果】
【００１２】
本発明によれば、生地払い板の基端側に設けるロック軸は揺動軸線に沿って側方の連動機構の駆動部側への進退が可能で、予め定める進出位置以上進出するか否かで、ロック軸と駆動部との間がロックされるか否かが決定される。ロック軸を進出位置まで進出させなければ、手動操作で生地払い板の揺動が可能となる。生地払い板には、連動機構の駆動部から揺動軸線まわりの駆動力を受けるためにロック軸を設ければよいので、組立の手間や調整を低減することができる。
【００１３】
また本発明によれば、ロック軸を揺動軸線に沿って側方に進退させる操作で、ロック軸を連動機構の駆動部にロックさせるか、ロックさせずに手動で開閉するか、ロック軸を駆動部から離脱させるかを切換えることができる。
【００１４】
また本発明によれば、カム機構で駆動力を発生し、伝達機構で駆動力を伝達することができるので、生地払い板は、編出しベッドの昇降経路を上方位置で閉じ、編地を前方に排出する排出位置まで傾斜するように設ければよく、小形化や軽量化を図ることができ、開閉操作も手動で容易に行うことができる。
【００１５】
また本発明によれば、生地払い板の小形化や軽量化を図る結果、生地払い板の片側のみに、連動機構を設けても、充分に生地払い板を揺動させることができる。
【図面の簡単な説明】
【００１６】
【図１】図１は、本発明の一実施例としての横編機１１の生地払い装置１２の構成を簡略化して示す左側面図である。
【図２】図２は、図１の生地払い装置１２で、生地払い板１５を手動で開閉する状態を示す部分的な左側面図である。
【図３】図３は、図１の生地払い装置１２で、生地払い板１５を編出しベッド６の上昇と連動して開く状態を示す部分的な左側面図である。
【図４】図４は、図１の生地払い装置１２で、伝達機構２０を生地払い板１５の片側のみに設ける構成、およびロック軸２３でロックを行う構成を示す簡略化した正面図である。
【図５】図５は、図１の生地払い装置１２に用いるロック軸２３の構成を示す平面図、左側面図、正面図、および左側面断面図である。
【図６】図６は、図１の生地払い装置１２に用いるレバー２２の平面図、正面断面図、および右側面図である。
【図７】図７は、図１の生地払い装置１２に用いる生地払い板１５の左側面図である。
【図８】図８は、図１の生地払い装置１２で、ロック軸２３の側方への進出状態と、レバー２２への結合状態の変化とを、部分的に断面で示す簡略化した正面図である。
【図９】図９は、従来からの横編機１の生地払い装置２の構成を簡略化して示す左側面図である。
【発明を実施するための形態】
【００１７】
以下、図１〜図８で、本発明の一実施例としての生地払い装置１２について説明する。ただし、本実施例について、図９に示す生地払い装置２に関して説明している部分と対応する部分には、同一の参照符を付して、重複する説明を省略する場合がある。また各図の説明では、先に説明している部分について、当該図には示されていない参照符号を記載して言及する場合がある。
【実施例】
【００１８】
図１は、本発明の一実施例として、横編機１１の歯口下方に設ける生地払い装置１２の構成を簡略化して示すけれども、歯口および針床の図示は省略する。針床は、フレーム１１ａの上方に設けられる。生地払い装置１２は、生地払い板１５で、巻下げ装置３の下方で昇降可能な編出し装置４の上方から前方を覆う。生地払い板１５は、編出しベッド６の昇降経路の前方の排出位置１２ａに臨んで基端側が支持され、編出し時に基端側を中心として遊端側が前方に揺動変位して、編出しベッド６の昇降経路を開放する。巻下げ装置３による編成中の編地の巻下げ時に、生地払い板１５の遊端側が下降状態の編出しベッド６の上方位置１２ｂを覆って編出しベッド６の昇降経路を閉鎖し、排出位置１２ａに臨む基端側まで予め定める生地払い角度θの傾斜で前方に下降する。前面カバー１６は、生地払い板１５の基端側から下方で編出し装置４の前面を覆い、図９の前面カバー１０と同様に、下部には編地受け１６ａが設けられる。生地払い板１５の下方には、編出し装置４の下部に臨み、編出しベッド６の昇降に連動して、生地払い板１５を開く駆動力を発生させる連動機構１８が配置される。
【００１９】
連動機構１８は、編出し装置４の昇降機構７の昇降ガイド７ｇに設けるカム７ｉの作用を受ける連動部材１８ａと、ホロワ１８ｂ、１８ｃと、揺動軸１８ｄと、ばね１８ｅとを含む。これらの構成部分に関して、連動機構１８は、図９の連動機構８と同等である。カム７ｉおよび連動部材１８ａは、編出し装置４の下部に臨んで配置され、編出しベッド６の昇降に連動して生地払い板５が揺動する駆動力を発生するカム機構として機能する。連動機構１８は、カム機構とともに、発生する駆動力を、生地払い板１５の少なくとも一側方で、生地払い板１５の基端側の揺動軸線２３ａを中心とする角変位として伝達する伝達機構２０を含む。伝達機構２０は、リンク２１およびレバー２２を含む。連動部材１８ａから前方に延びる揺動腕１８ｆの先端は、リンク２１の下端に連結される。リンク２１の上端に連結されるレバー２２は、生地払い板１５に設けるロック軸２３に対し、揺動軸線２３ａを中心として揺動させる駆動力を出力可能な駆動部となる。レバー２２によるロック軸２３の駆動は、レバー２２にロック軸２３がロックする状態で行われる。
【００２０】
図２は、図１の生地払い装置１２で、生地払い板１５を手動で開閉する状態を示す。レバー２２によるロック軸２３へのロックを外すと、生地払い板１５は、手動操作で揺動変位が可能となる。手動操作では、基端側が排出位置１２ａに臨んで揺動し、実線で示すように先端側が上方位置１２ｂを覆う状態と、仮想線で示すように先端側が排出位置１２ａより下方となる状態との間の範囲を、矢符１２ｃに示すように揺動変位させることができる。
【００２１】
図３は、図１の生地払い装置１２で、生地払い板１５を編出しベッド６の上昇と連動して開く状態を示す。上昇するカム７ｉの作用で、連動部材１８ａが揺動軸１８ｄを中心として時計回り方向に揺動し、生地払い板１５は昇降経路の上方位置１２ｂを開放する。連動部材１８ａ、リンク２１およびレバー２２によって形成される連動機構１８の動作で、編出しベッド６の上昇に伴い、生地払い板１５も基端側のロック軸２３を中心とする時計回り方向の揺動変位を行う。編出しベッド６の上昇中は、生地払い板１５の開放状態が継続する。なお、リンク２１を介するような駆動力の伝達は、ワイヤやタイミングベルトなどを介して行うこともできる。
【００２２】
図４は、図１の生地払い装置１２で、伝達機構２０を生地払い板１５の片側のみに設ける構成、およびロック軸２３でロックを行う構成を示す。フレーム１１ａは、左側部分１１ａＬと右側部分１１ａＲとに分けられる。フレーム１１ａの左側部分１１ａＬと右側部分１１ａＲとの間で前面側の中間部から下部を前面カバー１６で覆い、上部は生地払い板１５で覆われる。生地払い板１５の基端側には、ロック軸２３が外側方に進退可能な状態で設けられる。ロック軸２３の揺動軸線２３ａは、ロック軸２３の先端と係合してロック可能なレバー２２が揺動する中心線とも一致する。ロック軸２３には、手動操作用の操作部２３ｂが設けられ、生地払い板１５に設ける抜き孔１５ａを介して、生地払い板１５の正面側から操作部２３ｂの操作穴２３ｃを操作することができる。ロック軸２３の右側には、ロック軸２３を左方に押圧して付勢するばね２４と、ばね２４の右端を固定する固定ねじ２５が配置される。リンク２１やレバー２２を含む伝達機構２０は、生地払い板１５とフレーム１１ａの左側部分１１ａＬとの間に設けられ、フレーム内面カバー２６Ｌで覆われる。フレーム内面カバー２６Ｌ内には、編出し装置４の昇降機構７も収容される。
【００２３】
生地払い板１５の右方では、揺動軸線２３ａの延長に沿って、含油ブッシュ２７が配置され、フレーム内面カバー２６Ｒ内で支持される支持軸２８の先端が挿入される状態で、揺動可能に支持される。生地払い板１５が小さく、軽量化可能なので、フレーム内面カバー２６Ｒ内には、編出し装置４の昇降機構７を収容し、伝達機構２０は設けないようにすることもできる。伝達機構２０を設けない場合、連動部材１８ａなど、連動機構１８の他の構成部分も設ける必要がない。
【００２４】
図５は、図１の生地払い装置１２に用いるロック軸２３の構成を、（ａ）で平面、（ｂ）で左側面、（ｃ）で正面、から見てそれぞれ示す。（ｄ），（ｅ），（ｆ）は、（ｃ）の切断面線Ｄ−Ｄ，Ｅ−Ｅ，Ｆ−Ｆから見た断面をそれぞれ示す。これらの断面で示すように、ロック軸２３の左端側は丸断面部２３ｄであり、次に突起付断面部２３ｅ，２３ｆとなる。
【００２５】
図６は、図１の生地払い装置１２に用いるレバー２２の構成を、（ａ）で平面、（ｂ）で正面断面、（ｃ）で右側面、から見てそれぞれ示す。レバー２２には、リンク２１の上端と連結するリンク腕２２ａが設けられる。レバー２２の円筒状の軸受部２２ｂには、支持孔２２ｃと揺動孔２２ｄとロック溝２２ｅとが形成されている。揺動孔２２ｄに、ロック軸２３の丸断面部２３ｄのみが挿入されている係合状態では、ロック軸２３のレバー２２に対する揺動変位が可能となる。ロック溝２２ｅに、突起付断面部２３ｅも挿入されれば、ロック軸２３はレバー２２にロックされ、生地払い板１５は編出しベッド６の昇降と連動して開閉する。レバー２２には、ロック状態を検出するスイッチ２９も設けられている。
【００２６】
図７は、図１の生地払い装置１２に用いる生地払い板１５を左側面から示す。生地払い板１５は、アルミニウムなどの軽金属を押出し成型して製造することができる。生地払い板１５の基端側には、軸収容部１５ｂが設けられ、（ａ）に示すような固定ねじ２５とともにばね２４を収容することができる。軸収容部１５ｂには突起収容溝１５ｃが設けられているので、（ｂ）に示すようにロック軸２３の突起付断面部２３ｆをまわり止めさせて収容することもできる。
【００２７】
図８は、図１の生地払い装置１２で、ロック軸２３の側方への進出状態と、レバー２２への係合状態の変化との関係を、部分的に断面で、かつ簡略化して示す。レバー２２は、支持孔２２ｃに挿入されている支持軸３０によって、揺動軸線２３ａの延長上を中心とする揺動変位が可能な状態で支持されている。（ａ）は、ロック軸２３がレバー２２と離れている状態を示す。ロック軸２３は駆動部であるレバー２２と係合しないので、レバー２２が揺動変位する軸線から離れる方向へのロック軸２３の離脱が可能になる。（ｂ）は、ロック軸２３の先端の丸断面部２３ｄがレバー２２の揺動孔２２ｄのみに挿入されている状態を示す。（ｃ）は、ロック軸２３の突起付断面部２３ｅも突起部分がロック溝２２ｅに挿入され、突起部分の先端でスイッチを作動させる状態を示す。ロック軸２３はレバー２２とロックし、ばね２４による付勢でロックしている状態を続ける。
【００２８】
すなわち、ロック軸２３は、揺動軸線２３ａに沿って連動機構１８の駆動部側への進退が可能である。（ｂ）の状態を越えて、突起付断面部２３ｅの突起部分がレバー２２のロック溝２２ｅに挿入開始するような進出位置を、予め定めておく。進出位置を越えてロック軸２３を進出させれば、連動機構１８の駆動部であるレバー２２と生地払い板１５との間をロックする。進出位置まで達しないロック軸２３の進出では、ロックがされず、生地払い板１５を手動操作で開閉することができる。
【００２９】
このようなロック軸２３の進退で駆動部とのロック状態を切換える構成は、図９の生地払い装置２にも適用することができる。すなわち、揺動軸８ｄを駆動部として、その揺動軸線にロック軸９の軸線を合わせて、ロック軸９を軸線に沿って側方に進退させるようにすればよい。
【符号の説明】
【００３０】
３  巻下げ装置
４  編出し装置
６  編出しベッド
６ａ  編出し針
７  昇降機構
７ｉ  カム
１１  横編機
１２  生地払い装置
１５  生地払い板
１６  前面カバー
１８  連動機構
１８ａ  連動部材
２０  伝達機構
２１  リンク
２２  レバー
２３  ロック軸
【図１】
2012117187.tif 000003
【図２】
2012117187.tif 000004
【図３】
2012117187.tif 000005
【図４】
2012117187.tif 000006
【図５】
2012117187.tif 000007
【図６】
2012117187.tif 000008
【図７】
2012117187.tif 000009
【図８】
2012117187.tif 000010
【図９】
2012117187.tif 000011